(57)【要約】【課題】使用感に優れるとともに不快感を与えにくい読書灯を提供する。【解決手段】読書灯１は、座席Ｓ又は座席近傍に設けられ、ＬＥＤ２１ａと、ＬＥＤ２１ｂと、ＬＥＤ２１ａ及びＬＥＤ２１ｂを収容し、ＬＥＤ２１ａ及びＬＥＤ２１ｂの光を外部に射出する射出口５２を備えるケース５と、ケース５内に配され、ＬＥＤ２１ａ及びＬＥＤ２１ｂのうち少なくとも１つから照射された光を反射させてケース５外に当該反射光を射出する反射部材３と、ＬＥＤ２１ａ及びＬＥＤ２１ｂからの光のうち、反射することなくケース５外へ直接射出する光を遮る遮光部材５３と、を備え、ケース５が、薄い箱状に形成され、座席Ｓ又は座席近傍に備えられた際のケース５の着座者に対向する面５４ａが遮光されているとともに、反射光が射出口５２から当該ケース５の前方乃至下方に射出され、着座した着座者の側方及び顔の高さ位置近傍に設けられ、反射光が、着座者の手元近傍を照射する。【選択図】図３
2018133143.tif 000002
【特許請求の範囲】
【請求項１】
座席又は座席近傍に設けられる読書灯であって、
第１光源と、
第２光源と、
前記第１光源及び前記第２光源を収容し、前記第１光源及び前記第２光源の光を外部に射出する射出口を備えるケースと、
前記ケース内に配され、前記第１光源及び前記第２光源のうち少なくとも１つから照射された光を反射させて前記ケース外に当該反射光を射出する反射部材と、
前記第１光源及び前記第２光源からの光のうち、反射することなく前記ケース外へ直接射出する光を遮る遮光部材と、を備え、
前記ケースが、薄い箱状に形成され、前記座席又は座席近傍に備えられた際の前記ケースの着座者に対向する面が遮光されているとともに、前記反射光が前記射出口から当該ケースの前方乃至下方に射出され、
前記着座した着座者の側方及び顔の高さ位置近傍に設けられ、前記反射光が、前記着座者の手元近傍を照射することを特徴とする読書灯。
【請求項２】
前記反射部材が、前記第１光源及び前記第２光源からの光のうち、上方に向かう光を反射して下方に向かわせることを特徴とする請求項１に記載の読書灯。
【請求項３】
前記反射光が、水平方向から５度以上下方の角度となるように射出されるように前記座席又は座席近傍に設けられたことを特徴とする請求項１又は２に記載の読書灯。
【発明の詳細な説明】
【技術分野】
【０００１】
本発明は、読書灯に関する。
【背景技術】
【０００２】
従来、座席に着座した着座者ごとに当該着座者の手元近傍に光を照射することができる読書灯が知られている（例えば、特許文献１参照。）。
【０００３】
特許文献１に記載の読書灯は、座席ごとに設けられ、アームレストに設けられた操作盤に配置された調整つまみを操作することによって照射方向を変えることができるようにしたものである。
【先行技術文献】
【特許文献】
【０００４】
【特許文献１】特開平０６−２５５５９２号公報
【発明の概要】
【発明が解決しようとする課題】
【０００５】
しかしながら、特許文献１に記載の読書灯は、配置されている位置が着座者に近いため、可動時や、その設定した光軸の方向によっては、読書灯の方を向くと、強い光などによって引き起こされるグレアによって、着座者に不快感を生じさせることがある。また、着座者の近傍にいる者や、座席が配された車両内を歩行する者などに対してもグレアによる不快感を生じさせることがある。
【０００６】
本発明は、使用感に優れるとともに不快感を与えにくい読書灯を提供することを目的とする。
【課題を解決するための手段】
【０００７】
本発明の一態様である読書灯は、座席又は座席近傍に設けられる読書灯であって、第１光源と、第２光源と、前記第１光源及び前記第２光源を収容し、前記第１光源及び前記第２光源の光を外部に射出する射出口を備えるケースと、前記ケース内に配され、前記第１光源及び前記第２光源のうち少なくとも１つから照射された光を反射させて前記ケース外に当該反射光を射出する反射部材と、前記第１光源及び前記第２光源からの光のうち、反射することなく前記ケース外へ直接射出する光を遮る遮光部材と、を備え、前記ケースが、薄い箱状に形成され、前記座席又は座席近傍に備えられた際の前記ケースの着座者に対向する面が遮光されているとともに、前記反射光が前記射出口から当該ケースの前方乃至下方に射出され、前記着座した着座者の側方及び顔の高さ位置近傍に設けられ、前記反射光が、前記着座者の手元近傍を照射することを特徴とする。
【０００８】
なお、本発明の読書灯は、乗客が読書をする場合にその手元を照らすものであるが、乗客によっては、パソコン、携帯電話、携帯ゲーム器等を使用する場合や、テーブルを用いて食事をする場合にも利用されるものであり、その用途は読書のみに限定されるものではない。
【０００９】
本発明の上記態様においては、前記反射部材が、前記第１光源及び前記第２光源からの光のうち、上方に向かう光を反射して下方に向かわせることが好ましい。
【００１０】
また、上記の態様においては、前記反射光が、水平方向から５度以上下方の角度となるように射出されるように前記座席又は座席近傍に設けられることが好ましい。
【発明の効果】
【００１１】
本発明の一態様である読書灯は、座席又は座席近傍に設けられる読書灯であって、ケース内に配され、第１光源及び第２光源のうち少なくとも１つから照射された光を反射させてケース外に当該反射光を射出する反射部材と、第１光源及び第２光源からの光のうち、反射することなくケース外へ直接射出する光を遮る遮光部材と、を備え、ケースが、薄い箱状に形成され、座席又は座席近傍に備えられた際のケースの着座者に対向する面が遮光されているとともに、反射光が射出口から当該ケースの前方乃至下方に射出され、着座した着座者の側方及び顔の高さ位置近傍に設けられ、反射光が、着座者の手元近傍を照射する。
【００１２】
このような構成により、第１光源及び第２光源のうち少なくとも１つから照射された光が反射部材で反射されることによって、第１光源及び第２光源からの光（直接光）の眩しさを低減させ、目に優しい柔らかい光で着座者の手元近傍を照射することができる。そのため、使用感に優れる。また、光源からの光を反射部材で反射させて射出されるため、第１光源及び第２光源の２灯を用いても薄型に成型することができる。また、ケースの着座者に対向する面が遮光されているため、着座者の側方及び顔の高さ位置近傍に読書灯を設けても、着座者にグレアによる不快感を与えにくい。
【００１３】
また、遮光部材が、反射することなくケース外に直接射出する光を遮り、ケース外に射出される光は、当該ケースの前方乃至下方に射出される反射光のみであることから、着座者のみならず、座席近傍を通りかかった者などにグレアによる不快感を与えにくい。
【００１４】
上記の態様において、反射部材が、第１光源及び第２光源からの光のうち、上方に向かう光を反射して下方に向かわせる構成とすれば、座席近傍を通りかかった者（例えば、着座者より目の位置が高い者）などにグレアを感じさせる可能性がある上方に向かう光を減らすことができるため、グレアによる不快感の発生をより抑制することができる。
【００１５】
上記の態様において、反射光が、水平方向から５度以上下方の角度となるように射出されるように座席又は座席近傍に設けられる構成とすれば、着座者の手元近傍を照射することができるとともに、座席近傍を通りかかった者（着座者より目の位置が高い者）に対して、より確実に、グレアによる不快感の発生を抑制することができる。
【図面の簡単な説明】
【００１６】
【図１】本発明の一実施形態に係る読書灯が設けられた座席を示す斜視図である。
【図２】図１の読書灯の斜視図である。
【図３】図１の読書灯の分解図である。
【図４】図１の読書灯の図３とは異なる方向からみた分解図である。
【図５】図１の読書灯が備える反射部材の正面図である。
【図６】本発明の一実施形態に係る読書灯が備える他の屈折ならびに反射部材を示す図である。
【発明を実施するための形態】
【００１７】
以下、本発明の一実施形態に係る読書灯を、図１から図６を参照して説明する。
【００１８】
図１は、本実施形態に係る読書灯１が設けられた座席Ｓを示す斜視図であり、図２は、読書灯１の斜視図であり、図３は、読書灯１の分解図であり、図４は、図３とは異なる方向からみた分解図であり、図５は、読書灯１が備える反射部材３の正面図である。図１において、Ｘは座席Ｓが設置された車両における前後方向を示し、Ｙは座席Ｓの幅方向（左右方向）を示し、Ｚは座席Ｓ及び車両の上下方向を示している。
【００１９】
座席Ｓは、例えば、鉄道車両、船舶、航空機等の客室に設置されるものであり、２台並んで配されている。座席Ｓは、着座者が着座する座面Ｓ２を有する座部Ｓ１と、座部Ｓ１の後端に支点を有するリクライニング装置を介して後傾角度を自在に調整し得るように設けられた背もたれ部Ｓ３と、背もたれ部Ｓ３の後方および両側方を覆うバックシェルＳ４と、着座者が例えば書籍などを広げるテーブルＳ５と、読書灯１と、を備えて構成されている。
【００２０】
背もたれ部Ｓ３は、着座者が座席Ｓに着座してよりかかった際に、着座者の頭が配される位置にヘッドレストＳ７を備えている。バックシェルＳ４は、背もたれ部Ｓ３の両側方を覆う両側壁のうち、ヘッドレストＳ７の左右両側位置に、前方に張り出すように突設した２つの耳部Ｓ６を備えている。図１に示す座席Ｓの向かって右側の座席において、本実施形態の読書灯１は、着座者の左側の耳部Ｓ６の内側の面に設けられている。向かって左側の座席においては右側の耳部Ｓ６に設けられる（不図示）。このように、読書灯１は、着座者の側方であって顔の高さ位置近傍に配されている。なお、本実施形態において読書灯１は、座席Ｓの耳部Ｓ６に設けられる構成としたが、本発明はこれに限定されることはなく、座席Ｓの近傍に設けられてもよく、例えば、座席Ｓの横に配される壁や柱などに設けられてもよい。
【００２１】
読書灯１は、図３及び図４に示すように、２つのＬＥＤ２１ａ、２１ｂを表面に実装する基板２と、反射部材３と、基板２を保持する基板保持部材４と、これら及び読書灯１を操作するための操作部５１を収容する略長方形の薄い箱状に形成されたケース５と、を備えている。なお、ＬＥＤ２１ａが「第１光源」、ＬＥＤ２１ｂが「第２光源」にそれぞれ対応する。また、読書灯１は、基板２側を背面、ケース５側を正面とし、ケース５の長さ方向が水平方向に対して略平行になるように耳部Ｓ６に取り付けられている。
【００２２】
図３及び図４に示すように、基板２は、略長方形の板状に形成されており、基板２の一方の面２２には、回路パターン２３が形成されている。基板２の他方の面２４には、電気供給部（図示せず）と電気的に接続するコネクタ２５が設けられている。ＬＥＤ２１ａ、２１ｂは、基板２の一方の面２２に実装されることで、回路パターン２３を介して電源供給部（図示せず）と電気的に接続可能となる。ＬＥＤ２１ａ、２１ｂは、基板２の幅方向に距離を開けて並べられ、収容されるケース５の厚み方向（基板２の厚み方向）に向けて光を出すように基板２に実装されている。また、基板２には、コネクタ２５に設けられたねじ穴（図示せず）と共にねじを挿入して、コネクタ２５を基板２の他方の面２４に固定するためのねじ穴（図示せず）と、反射部材３を基板２に固定するための２つの係止孔２６が形成されている。
【００２３】
また、基板２の一方の面２２は黒色に形成されている。このような構成により、反射部材３を基板２に取り付けた際に、反射部材３によって反射した光のうち、基板２で更に反射して射出口５２から着座者の方向に反射してグレアを引き起こす可能性のある光を吸収することができるため、グレアによる不快感の発生を、より抑制することができる。
【００２４】
反射部材３は、ＬＥＤ２１ａ及びＬＥＤ２１ｂから照射された光を反射させてケース５外に当該反射光を射出する。反射部材３は、基板２の一部を覆うように基板２に固定されるベース部３１と、基板２に実装されたＬＥＤ２１ａ、２１ｂを囲むようにベース部３１から立設する壁部３２と、を備え、基板２に取り付けられている。反射部材３を構成する色としては、特に限定されることはないが、反射率の高い銀色や白色であることが好ましく、銀色であることがより好ましい。
【００２５】
ベース部３１は、反射部材３を基板２に取り付ける役割、及び、ベース部３１から立設する壁部３２を支える土台としての役割を果す。ベース部３１は、板状に形成されており、基板２に係止するための２つの係止凸部３３（図４においては１つのみが示されている）が形成されている。当該係止凸部３３が係止孔２６に嵌入することで、反射部材３が基板２に固定される。
【００２６】
図５に示すように、壁部３２は、ＬＥＤ２１ａの周囲の一部を囲みＬＥＤ２１ａからの光（直接光）を反射させる第１壁部としての壁部３２ａと、ＬＥＤ２１ｂの周囲の一部を取り囲みＬＥＤ２１ｂからの光（直接光）を反射させる第２壁部としての壁部３２ｂと、を備えている。なお、図５においてＬＥＤ２１ａ、２１ｂは破線で示してある。壁部３２ａ、３２ｂは、それぞれが形状の異なる略楕円の円弧形状に形成され、ＬＥＤ２１ａの周囲の一部及びＬＥＤ２１ｂの周囲の一部を囲むように形成されている。壁部３２ａと壁部３２ｂとは、一方の端部同士が結合して２つの円弧が繋り、全体で、略Ｍ字形状に形成されている（図５）。反射部材３は、当該Ｍ字形状の下方の開口部３４が、基板２（ケース５）の前方乃至下方を向くように形成されている（図５）。
【００２７】
このような構成により、ＬＥＤ２１ａ又はＬＥＤ２１ｂからの光を、壁部３２ａ又は壁部３２ｂ内で反射させ、さらに隣接する壁部３２ｂ又は壁部３２ａ内、壁部３２全体において反射させることが可能となる。よって、反射光を多く取り出すことができ、直接光の眩しさを低減させ、目に優しい柔らかい光で着座者の手元近傍を照射することができるため、使用感に優れたものとすることができる。また、壁部３２の形状として、そのＭ字形状の下方の開口部３４が、基板２（ケース５）の前方乃至下方を向くように形成されているため、反射を繰り返すことで、上方に向かう光を反射して下方に向かわせ、反射光の射出する角度を下方へと調整することができる。よって、着座者の手元近傍を照射することができるとともに、座席Ｓが配された車両内を歩く者（着座者より目の位置が高い者）、例えば他の乗客やアテンダント等にグレアによる不快感を与えにくい。
【００２８】
また、壁部３２の外側（円弧の外側）にのみベース部３１が形成されていることにより、反射部材３を基板２に取り付けた際に、反射部材３によって反射した光のうち、着座者の方向（着座者に対向する面５４ａの方向）に直接反射してグレアを引き起こす可能性のある光を、基板２によって吸収することができるため、グレアによる不快感の発生を抑制することができる。
【００２９】
反射部材３は、ＬＥＤ２１ａが、壁部３２ａの基端部の円弧における頂点近傍の基端部の内側の位置であって、壁部３２ａに隣接する位置に、また、ＬＥＤ２１ｂが、壁部３２ｂの円弧における頂点近傍の内側の位置であって、壁部３２ｂに隣接する位置に配されるよう、基板２に固定されている。さらに、反射部材３は、壁部３２ａ及び壁部３２ｂの上端の開口が、ケース本体５４の内面に覆われるようにケース５内に収容される。
【００３０】
基板保持部材４は、基板２の縁部を囲むように略長方形の枠状に形成され、当該縁部を挟み込んで、ケース５から基板２及び基板２に取り付けられた反射部材３が外れないように保持する。基板保持部材４は、２辺の長辺に設けられた２つの保持部４１と、１辺の短辺に設けられた１つの保持部４２と、で基板２の縁部の端を挟み込み、基板２を保持する（図３、４）。
【００３１】
２辺の長辺にそれぞれ設けられた保持部４１は、基板２の縁部を挟み込むように形成されている。保持部４１は、基板保持部材４の長辺の幅方向において、正面寄り（ケース５寄り）の端部から枠内側に向かって突出して形成された辺状保持部４１ａと、当該長辺の長さ方向中央部に形成された凸状保持部４１ｂと、を備えている。保持部４１は、辺状保持部４１ａと凸状保持部４１ｂとで、基板２の縁部の端を挟み込むことで、基板２を保持する。
【００３２】
また、短辺に設けられた保持部４２は、基板保持部材４の長辺を直交するように掛け渡される梁部４２ａと、短辺の長さ方向中央部に形成された凸状保持部４２ｂと、を備える。保持部４２は、梁部４２ａと凸状保持部４２ｂとで、基板２の縁部の端を挟み込むことで、基板２を保持する。
【００３３】
ケース５は、薄い箱状に形成され、基板保持部材４に保持された基板２及び反射部材３を収容する。ケース５は、読書灯１を操作する操作部５１と、反射部材３で反射させた反射光をケース外に射出する射出口５２と、ＬＥＤ２１ａ、２１ｂからの光のうち、反射することなくケース５外へ直接射出する光を遮る遮光部材５３と、これらを有しケース５の外形を構成するケース本体５４と、を備えている。
【００３４】
操作部５１は、ＬＥＤ２１ａの点灯及び消灯を開始する起動ボタン５１ａと、ＬＥＤ２１ｂの点灯及び消灯を切り替える切り替えボタン５１ｂと、を備え、ケース本体５４の正面に配されている。このような構成により、ＬＥＤを１灯点灯させる場合と、２灯点灯させる場合とを切り替えることができる。従って、着座者の所望する明るさを選ぶことができ、その切り替えを着座したままで行えるため、使用感に優れる。
【００３５】
射出口５２は、ケース５に収容された反射部材３のＭ字形状の下方乃至前方の開口部３４の位置に対応して配され、反射光をケース５外に射出する。射出口５２は、ケース本体５４の側面のうち、前方側に配された側面５４ｂにおける下方側から、底面５４ｃ（座面Ｓ２と対向する面）における前方側にわたって形成されている。
【００３６】
また、反射光は、水平方向から下方に５度以上の角度で射出されるように座席Ｓ又は座席近傍に設けられることが好ましい。このような構成により、座席Ｓが配された車両内を歩く者、例えば他の乗客やアテンダント等にグレアによる不快感を、より与えにくい。
【００３７】
ケース本体５４は、射出口５２が形成された場所以外は、ケース５外に光が漏れないように遮光されている。つまり、着座者に対向する面５４ａである正面も遮光されている。このように、ケース５の着座者に対向する面５４ａが遮光されているため、本実施形態の読書灯１は、着座者の側方及び顔の高さ位置近傍に設けても、着座者にグレアによる不快感を与えにくい。
【００３８】
また、ケース本体５４は、その内面が白色に形成されている。このような構成により、反射部材３により反射した光や、ＬＥＤ２１ａ、２１ｂからの光がさらにケース本体５４の内面において反射し、反射光をより多く取り出すことができる。また、白色にすることで、読書灯１の美観が向上する。
【００３９】
遮光部材５３は、ＬＥＤ２１ａ、２１ｂからの光（直接光）のうち、反射することなくケース５外へ直接射出する光を遮る部材である。遮光部材５３は、ケース本体５４内であって、射出口５２の縁からやや内側の位置（着座者に対向する面５４ａの裏面の内側寄り）に設けられ、ケース本体５４に接続する基端側の板状の長方形の部位５３−１と、当該部位５３−１の中心付近から基板２側に延びる板状の長方形の部位５３−２と、により形成されている。当該遮光部材５３は、一方の面５３ａが射出口５２側、他方の面５３ｂがＬＥＤ２１ａ、２１ｂ側を向くような位置に配されている。しかし、遮光部材５３は、ＬＥＤ２１ａ、２１ｂからの光（直接光）のうち、反射することなくケース５外へ直接射出する光を遮る構成であれば特に形状、設けられる位置等について限定されることはなく、ケース５や射出口５２の形状等によって適宜変化させればよい。
【００４０】
また、遮光部材５３の射出口５２側を向いて配された一方の面５３ａが反射部材３と同様の銀色に形成され、他方の面５３ｂが白色に形成されている。このような構成により、反射光をより多く取り出すことができる。
【００４１】
次に、本実施形態に係る読書灯１の動作及び作用について説明する。着座者が読書灯１の起動ボタン５１ａを押すと、ＬＥＤ２１ａが点灯する。次に、着座者がＬＥＤ２１ａの１灯のみの点灯では輝度が足りないと判断した場合には、着座者は切り替えボタン５１ｂを押してＬＥＤ２１ｂを点灯させる。これにより、２灯のＬＥＤが点灯することで照度が上がる。これにより、着座者は読書灯１の明るさを所望の照度に調整することができる。次に、着座者が読書灯１の明るさが明るく、照度を下げたい場合には、切り替えボタン５１ｂを押して、ＬＥＤ２１ｂを消灯する。さらに、着座者が、読書灯１の使用を終了したい場合には、起動ボタン５１ａを押すことにより、ＬＥＤ２１ａは消灯し、読書灯１は起動を終了する。
【００４２】
次に、読書灯１を起動している際の、光の軌道について説明する。なお、ＬＥＤ２１ａ、２１ｂのうちどちらか１灯が点灯している場合も、照度を除けば２灯が点灯している場合と同様であるため、２灯が点灯している場合について説明する。ＬＥＤ２１ａが点灯すると、ＬＥＤ２１ａからの光の一部は、反射部材３の壁部３２ａ内において反射し、更には隣に配された壁部３２ｂ、壁部３２全体及びケース本体５４の内面において反射する。当該反射光は、反射部材３の形状に従って反射を繰り返しながら下方に向かうよう調整され、当該反射光は射出口５２からケース５の前方乃至下方に射出される。また、ＬＥＤ２１ｂが点灯すると、ＬＥＤ２１ｂからの光の一部は、反射部材３の壁部３２ｂ内において反射し、更には隣に配された壁部３２ａ、壁部３２全体及びケース本体５４において反射する。ＬＥＤ２１ａの反射光と同様に、ＬＥＤ２１ｂの反射光も、反射部材３の形状に従って反射を繰り返しながら下方に向かうよう調整され、射出口５２からケース５の前方乃至下方に射出される。
【００４３】
また、ＬＥＤ２１ａ及びＬＥＤ２１ｂからの光の他の一部は、反射することなく直接射出口５２の方に向かうが、遮光部材５３により反射されて、再度、反射部材３やケース５内に戻され、壁部３２全体、ケース本体５４及び遮光部材５３において反射し、射出口５２から射出する。
【００４４】
上述した本実施形態に係る読書灯１は、座席Ｓ又は座席近傍に設けられる読書灯１であって、ＬＥＤ２１ａ及びＬＥＤ２１ｂのうち少なくとも１つから照射された光を反射させてケース５外に当該反射光を射出する反射部材３と、ＬＥＤ２１ａ及びＬＥＤ２１ｂからの光のうち、反射することなくケース５外へ直接射出する光を遮る遮光部材５３と、を備え、ケース５が、薄い箱状に形成され、座席Ｓ又は座席近傍に備えられた際のケース５の着座者に対向する面５４ａが遮光されているとともに、反射光が射出口５２から当該ケース５の前方乃至下方に射出され、着座した着座者の側方及び顔の高さ位置近傍に設けられ、反射光が、着座者の手元近傍を照射する。
【００４５】
このような構成により、ＬＥＤ２１ａ及びＬＥＤ２１ｂのうち少なくとも１つから照射された光が当該反射部材３で反射されることによって、ＬＥＤ２１ａ及びＬＥＤ２１ｂからの直接光の眩しさを低減させ、目に優しい柔らかい光で着座者の手元近傍を照射することができる。そのため、使用感に優れる。また、ケース５の着座者に対向する面５４ａが遮光されているため、着座者の側方及び顔の高さ位置近傍に読書灯を設けても、着座者にグレアによる不快感を与えにくい。
【００４６】
また、本実施形態に係る読書灯１は、遮光部材５３が、反射することなくケース５外に直接射出する光を遮り、ケース５外に射出される光は、当該ケース５の前方乃至下方に射出される反射光のみであることから、着座者のみならず、座席近傍を通りかかった者などにグレアによる不快感を与えにくい。
【００４７】
また、本実施形態に係る読書灯１は、反射部材３が、ＬＥＤ２１ａの周囲の一部を囲みＬＥＤ２１ａからの光を反射させる壁部３２ａと、ＬＥＤ２１ｂの周囲の一部を取り囲みＬＥＤ２１ｂからの光を反射させる壁部３２ｂと、を備え、壁部３２ａ内で反射させた反射光、及び、壁部３２ｂ内で反射させた反射光のうち少なくとも１つをケース５外に射出する構成であるため、それぞれの光源の光から反射光を多く取り出すことができる。よって、直接光の眩しさを低減させ、目に優しい柔らかい光で着座者の手元近傍を照射することができるため、より使用感に優れたものとすることができる。
【００４８】
また、本実施形態に係る読書灯１は、反射部材３が、ＬＥＤ２１ａ及びＬＥＤ２１ｂからの光のうち、上方に向かう光を反射して下方に向かわせる構成であるため、座席近傍を通りかかった者（着座者より目の位置が高い者）、例えばアテンダント等にグレアを感じさせる上方に向かう光を減らすことができるため、より確実に、グレアによる不快感の発生を抑制することができる。
【００４９】
また、本実施形態に係る読書灯１は、反射光が、水平方向から５度以上下方の角度となるように射出されるように座席Ｓ又は座席近傍に設ける構成となっている。そのため、着座者の手元近傍を照射することができるとともに、座席近傍を通りかかった者（着座者より目の位置が高い者）に対して、より確実に、グレアによる不快感の発生を抑制することができる。
【００５０】
また、本実施形態に係る読書灯１は、基板２に実装されたＬＥＤ２１ａ、２１ｂからの光を、反射部材３及びケース本体５４の内面によって反射させて、反射光を用いることで、約９０度方向を変えて射出する構成としている。このような構成により、ＬＥＤ２１を２灯（ＬＥＤ２１ａ、２１ｂ）用いながらも、薄い箱状のケース５に収容することが可能となり、読書灯１の厚みを薄くし、省スペース化を図ることを可能とした。よって、着座者の側方及び顔の高さ位置近傍に設けても、着座者の邪魔とならない。
【００５１】
以上、説明した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明の読書灯の構成を具備する限り、勿論、本発明の範疇に含まれるものである。
【００５２】
例えば、反射部材３は、ＬＥＤ２１ａ及びＬＥＤ２１ｂのうち少なくとも１つから照射された光を反射又は屈折させてケース５外に当該反射光を射出する構成のものであれば上記実施形態において説明した形状のものに限定されることはない。図６は、屈折部材及び他の反射部材の例を示した図である。図６（ａ）は屈折部材３Ａとして２つのレンズを並べたものである。また、図６（ｂ）は、反射部材３Ｂとして反射部材と遮光部材とを一体にして形成したものである。
【００５３】
また、上述した読書灯１においては、基板２の一方の面２２は黒色に形成されている構成としたが、これに限定されることはなく、他の色とする構成としてもよい。
【００５４】
また、上述した読書灯１においては、ケース本体５４は、その内面が白色に形成されている構成としたが、これに限定されることはなく他の色とする構成としてもよい。
【００５５】
また、上述した読書灯１においては、遮光部材５３の射出口５２側を向いて配された一方の面５３ａが反射部材３と同様の銀色に形成され、他方の面５３ｂが白色に形成されている構成としたが、これに限定されることはなく、一方の面５３ａを白色とする構成としてもよく、他方の面５３ｂを銀色とする構成としてもよい。また、それぞれ他の色でもよい。
【００５６】
また、上述した読書灯１について、着座者の右側の耳部Ｓ６に取り付けられる構造とする場合には、上述した読書灯１は鏡面対称の構造となる。
【００５７】
また、上述した読書灯１においては、切り替えボタン５１ｂによって、点灯するＬＥＤの数を１灯又は２灯と切り替えるものであったが、これに限定されることはなく、例えば、ＬＥＤ２１ａを昼白色とし、ＬＥＤ２１ｂを電球色とすることで、切り替えボタン５１ｂにより灯りの色を変えるような構成としてもよい。また、ＬＥＤ２１ａとＬＥＤ２１ｂとで、照射範囲を切り替える構成としてもよい。例えば、着座者の手元近傍のうち少し高めの範囲を照射する文庫本用スポットライトモードと、着座者の手元近傍のうちテーブルＳ５をスポット照射するお弁当用スポットライトモードなどに切り替える構成としてもよい。
【００５８】
また、上述した読書灯１においては、起動ボタン５１ａによってＬＥＤ２１ａの点灯を開始し、切り替えボタン５１ｂによって、ＬＥＤ２１ｂの点灯と消灯を切り替える構成としたが、これに限定されることはなく、起動ボタン５１ａによりＬＥＤ２１ｂの点灯を開始させ、切り替えボタン５１ｂによりＬＥＤ２１ａの点灯と消灯を切り替える構成としてもよい。更に、１つのボタンで構成され、当該ボタンを１回押す毎に、１灯点灯、２灯点灯、消灯と、順次切り替わるようにしてもよい。
【符号の説明】
【００５９】
１                読書灯
２                基板
２１ａ、２１ｂ    ＬＥＤ（第１光源、第２光源）
３                反射部材
３２ａ            第１壁部
３２ｂ            第２壁部
５                ケース
５２              射出口
５３              遮光部材
５４ａ            着座者に対向する面
Ｓ                座席
【図１】
2018133143.tif 000003
【図２】
2018133143.tif 000004
【図３】
2018133143.tif 000005
【図４】
2018133143.tif 000006
【図５】
2018133143.tif 000007
【図６】
2018133143.tif 000008